(57)【要約】【課題】適正な目標室内温度で自動運転を行える空気調和機を提供する。【解決手段】空気調和機が、外気温度を検出する外気温度センサＴ２と、外気温度センサＴ２により所定時間中に検出された外気温度のうち最高外気温度を検出する最高外気温度検出部１０２と、最高外気温度設定部１０２により検出された最高外気温度に基づいて、運転モード毎に目標室内温度を設定する目標室内温度設定部１０３とを備える。【選択図】図３
2016090063.tif 000002
【特許請求の範囲】
【請求項１】
外気温度を検出する外気温度センサ（Ｔ２）と、
上記外気温度センサ（Ｔ２）により所定時間中に検出された外気温度のうち最高外気温度を検出する最高外気温度検出部（１０２）と、
上記最高外気温度設定部（１０２）により検出された最高外気温度に基づいて、運転モード毎に目標室内温度を設定する目標室内温度設定部（１０３）と
を備えることを特徴とする空気調和機。
【請求項２】
請求項１に記載の空気調和機において、
上記外気温度センサ（Ｔ２）により検出された外気温度に少なくとも基づいて、自動運転時の運転モードを決定する運転モード決定部（１０１）をさらに備えることを特徴とする空気調和機。
【請求項３】
請求項２に記載の空気調和機において、
上記運転モードが、除湿運転、冷房運転、または、除湿冷房運転であるときに、上記目標室内温度設定部（１０３）により上記自動運転の目標室内温度が設定されることを特徴とする空気調和機。
【請求項４】
請求項１から３のいずれか１つに記載の空気調和機において、
上記目標室内温度設定部（１０３）が、上記最高外気温度から運転時の季節を判定し、判定された季節に基づいて、上記目標室内温度を補正することを特徴とする空気調和機。
【請求項５】
請求項１から４のいずれか１つに記載の空気調和機において、
上記所定時間の長さが、少なくとも２４時間であることを特徴とする空気調和機。
【発明の詳細な説明】
【技術分野】
【０００１】
本発明は、空気調和機に関する。
【背景技術】
【０００２】
従来、空気調和機としては、特許文献１に記載されたものがある。この空気調和機では、運転時の外気温度から設定温度を補正して目標室内温度を定め、この目標室内温度になるように冷暖房運転を行っている。
【先行技術文献】
【特許文献】
【０００３】
【特許文献１】特開平０６−１４７５８６号公報
【発明の概要】
【発明が解決しようとする課題】
【０００４】
ところで、上記従来の空気調和機で室内温度を自動で設定して運転を行う場合、運転開始時の外気温度から室内温度を設定することが考えられる。しかしながら、運転開始時の外気温度から室内温度を設定した場合、例えば、夏期の外気温度が高い昼間に室内温度を設定し、その後、夜間に外気温度が急に低下したとすると、設定された室内温度が低すぎて、ユーザが寒さを感じてしまうおそれがあった。
【０００５】
そこで、本発明は、適正な目標室内温度で運転を行える空気調和機を提供することを目的とする。
【課題を解決するための手段】
【０００６】
上記課題を解決するため、本発明の空気調和機は、
外気温度を検出する外気温度センサと、
上記外気温度センサにより所定時間中に検出された外気温度のうち最高外気温度を検出する最高外気温度検出部と、
上記最高外気温度設定部により検出された最高外気温度に基づいて、運転モード毎に目標室内温度を設定する目標室内温度設定部と
を備えることを特徴としている。
【０００７】
本発明によれば、少なくとも外気温度センサにより検出された外気温度に基づいて、所定時間中に検出された外気温度の中から最高外気温度を検出し、この検出された最高外気温度に基づいて、運転モード毎に目標室内温度を設定する。このため、例えば、夏期の夜間に外気温度が低下した場合であっても、ユーザが寒さを感じることのない適正な目標室内温度で運転を行うことができる。
【０００８】
一実施形態の空気調和機では、
上記外気温度センサにより検出された外気温度に少なくとも基づいて、自動運転時の運転モードを決定する運転モード決定部をさらに備える。
【０００９】
本実施形態によれば、例えば、夏期の夜間に外気温度が低下した場合であっても、ユーザが寒さを感じることのない適正な目標室内温度で自動運転を行うことができる。
【００１０】
一実施形態の空気調和機では、
上記運転モードが、除湿運転、冷房運転、または、除湿冷房運転であるときに、上記目標室内温度設定部により上記自動運転の目標室内温度が設定される。
【００１１】
本実施形態によれば、例えば、夏期夜間に気温度が低下した場合であっても、ユーザが寒さを感じることのない適正な目標室内温度で自動運転を行うことができる。
【００１２】
一実施形態の空気調和機では、
上記目標室内温度設定部が、上記最高外気温度から運転時の季節を判定し、判定された季節に基づいて、上記目標室内温度を補正する。
【００１３】
本実施形態によれば、運転が行われる季節に応じて、適正な目標室内温度を設定できる。
【００１４】
一実施形態の空気調和機では、
上記過去所定時間の長さが、少なくとも２４時間である。
【００１５】
本実施形態によれば、高い精度で最高外気温を検出できる。このため、適正な目標室内温度で自動運転を確実に行うことができる。
【発明の効果】
【００１６】
本発明によれば、適正な目標室内温度で運転を行える空気調和機を実現できる。
【図面の簡単な説明】
【００１７】
【図１】本発明の一実施形態の空気調和機の室内機および室外機の冷媒回路の回路図である。
【図２】図１の空気調和機の室外機側の制御ブロック図である。
【図３】図１の空気調和機の自動運転の制御処理を示すフローチャートである。
【発明を実施するための形態】
【００１８】
以下、本発明の空気調和機を図示の一実施形態により詳細に説明する。
【００１９】
図１は、本発明の一実施形態の空気調和機の室内機２および室内機２に接続された室外機１の冷媒回路ＲＣを示している。この空気調和機は、室内機２と室外機１とが一対一のペア型の空気調和機である。
【００２０】
上記空気調和機は、図１に示すように、室外機１と室内機２とを備える。室外機１は、圧縮機１１と、圧縮機１１の吐出側に接続された四路切換弁１２と、四路切換弁１２に接続された室外熱交換器１３と、室外熱交換器１３に接続された膨張機構の一例としての電動膨張弁１４と、閉鎖弁２２および四路切換弁１２を介して室内熱交換器１５に接続されると共に、圧縮機１１の吸入側に接続されたアキュムレータ１６と、室外熱交換器１３に空気を送る室外ファン１０とを有する。さらに、室外機１は、室外熱交換器１３の温度を検出する室外熱交換器温度センサＴ１と、外気温度を検出する外気温度センサＴ２と、電動膨張弁１４の蒸発温度を検出する蒸発温度センサＴ３とを有する。
【００２１】
また、室内機２は、閉鎖弁２１を介して電動膨張弁１４に接続された室内熱交換器１５と、この室内熱交換器１５に空気を送る室内ファン２０と、室内熱交換器１５の温度を検出する室内熱交換器温度センサＴ４と、室内温度を検出する室内温度センサＴ５と、室内温度の湿度を検出する湿度センサＨ（図２に示す）とを有する。この室内機２内には、本体ケーシング(図示せず)の吸込口から吹出口に向かって形成された空気流路に、上流側から順に、室内熱交換器１５(補助熱交換器１５ａおよび主熱交換器１５ｂ)と横流型の室内ファン２０とが配置されている。
【００２２】
上記室内熱交換器１５は、閉鎖弁２１を介して電動膨張弁１４に接続された補助熱交換器１５ａと、補助熱交換器１５ａに接続されると共に、閉鎖弁２２および四路切換弁１２を介して室内熱交換器１５に接続された主熱交換器１５ｂとを有する。補助熱交換器１５ａは、室内ファン２０による空気流に関して、主熱交換器１５ｂよりも上流側に位置している。室内熱交換器温度センサＴ４は、補助熱交換器１５ａの上端部近く、かつ、その上端部よりも空気流の下流側に位置している。
【００２３】
上記圧縮機１１,四路切換弁１２,室外熱交換器１３,電動膨張弁１４,室内熱交換器１５およびアキュムレータ１６を環状に接続することで冷媒回路ＲＣを構成している。
【００２４】
上記空気調和機は、リモートコントローラ（図示せず）を有し、暖房運転、除湿運転、冷房運転、除湿冷房運転および自動運転の各運転モードを選択して、その運転モードの運転開始操作を行ったり、運転切換操作や運転停止操作を行ったりすることができる。また、このリモートコントローラで、室内温度の設定温度を設定したり、あるいは、室内ファンの回転数を変化させて室内機２の風量を変更したりできる。
【００２５】
なお、自動運転は、少なくとも外気温度に基づいて、最適な室内温度（目標室内温度）および運転モード（暖房運転、除湿運転、冷房運転、あるいは、除湿冷房運転）を自動で選択し、選択された目標室内温度および選運転モードに基づいて運転を行う運転モードである。また、除湿冷房運転は、室内温度および室内湿度を同時に低下させる運転を行う運転モードである。
【００２６】
また、上記空気調和機は、室外熱交換器温度センサＴ１,外気温度センサＴ２,蒸発温度センサＴ３,室内熱交換器温度センサＴ４,室内温度センサＴ５および湿度センサＨ（図２に示す）からの信号などに基づいて、圧縮機１１,四路切換弁１２,電動膨張弁１４,室外ファン１０,室内ファン２０および表示部３０（図２に示す）を制御する制御装置１００を備えている。この制御装置１００は、マイクロコンピュータおよび入出力回路等からなる室外機１側の室外制御部(図示せず)と室内機２側の室内制御部(図示せず)とで構成されている。
【００２７】
図２は、図１の空気調和機の室外機側の制御ブロック図である。
【００２８】
また、上記制御装置１００は、自動運転開始操作が行われたときの運転モードを決定する運転モード決定部１０１と、外気温度センサＴ２により所定時間中に検出された外気温度のうち最高外気温度を検出する最高外気温度検出部１０２と、この最高外気温度検出部１０２により検出された最高外気温度に基づいて自動運転の目標室内温度を設定する目標室内温度設定部１０３とを有する。
【００２９】
運転モード決定部１０１は、自動運転開始操作が行われたときに、外気温度センサＴ２により検出された外気温度と室内温度センサＴ５により検出された室内温度とに基づいて、自動運転開始時の運転モードを決定する。運転モード決定部１０１は、例えば、外気温度が１８℃以下の場合、暖房運転を運転モードとして決定する。外気温度が１８℃を超え、かつ、２１℃以下の場合、室内温度が２３℃以下であれば、暖房運転を運転モードとして決定し、室内温度が２３℃を超えていれば、冷房運転、除湿冷房運転、あるいは、除湿運転を運転モードとして決定する。また、外気温度が２１℃を超えている場合、冷房運転、除湿冷房運転、あるいは、除湿運転を運転モードとして決定する。このように、自動運転開始操作が行われたときの運転モードは、少なくとも外気温度に基づいて決定される。なお、冷房運転、除湿冷房運転、あるいは、除湿運転の選択は、例えば、室内温度および室内湿度に基づいて行われる。
【００３０】
最高外気温度検出部１０２は、例えば、リモートコントローラによって自動運転開始操作が行われたときから所定時間、例えば２４時間中に、外気温度センサＴ２により検出された外気温度を記憶し、記憶された外気温度の中から最も高い外気温度（最高外気温度）を検出する。
【００３１】
なお、外気温度は、予め定められた所定の間隔、例えば４時間間隔で、外気温度センサＴ５により検出される。また、最高外気温度を含む最高外気温度検出部１０２に記憶された外気温度は、運転停止操作が行われた場合、あるいは、運転モードが自動運転から他のいずれかの運転モードに切り替えられた場合に、消去される。このため、最高外気温度検出部１０２は、自動運転開始操作が行われてから所定時間が経過するまでの間、自動運転開始操作が行われたときに検出された外気温度を第１の最高外気温度として検出し、所定時間中に検出された外気温度から検出された最高外気温度を第２の最高外気温度として検出する。
【００３２】
目標室内温度設定部１０３は、最高外気温度検出部１０２により検出された最高外気温度に基づいて、自動運転の目標室内温度を補正する。具体的には、最高外気温度設定部１０２により検出された最高外気温度から、運転開始操作が行われたときの季節を判断し、推定する。例えば、最高外気温度が２４．５℃以上である場合、夏期と判断する。最高外気温度が２４．５℃未満、１８．５℃以上である場合、中間期と判断する。また、最高外気温度が１８．５℃未満である場合、冬期と判断する。そして、目標室内温度設定部１０３は、この推定された季節により、下記表のように設定されている各運転モードの目標室内温度を補正する。
2016090063.tif 000003
【００３３】
上記目標室内温度設定部１０３は、季節を推定する際に、併せて着衣量の推定を行っている。着衣量は、夏期＜中間期＜冬期となるように設定されており、目標室内温度は、この着衣量に併せて設定されている。このため、上記表において、中間期および冬期の目標室内温度は、同じ温度に設定されている。なお、上記表における各数値は、空気調和機の設計等に応じて、任意に変更できる。
【００３４】
上記空気調和機では、中間期および冬期の目標室内温度を同じ温度に設定しているため、中間期と冬期との判断を誤ったとしても、適正な目標室内温度で自動運転を行うことができる。しかし、夏期と中間期との判断を誤ってしまうと、例えば、冷房運転、除湿運転、あるいは、除湿冷房運転の目標室内温度が、夏期の温度（２６．５℃）ではなく、中間期の温度（２５℃）に設定されてしまい、適正な目標室内温度で自動運転を行うことができなくなる。
【００３５】
このため、上記目標室内温度設定部１０３では、自動運転開始操作が行われたときに決定された運転モードが、主に夏期に選択される運転モード、すなわち、冷房運転、除湿冷房運転、あるいは、除湿運転である場合にのみ、最高外気温度検出部１０２により検出された最高外気温度に基づいて季節を判断している。これにより、適正な目標室内温度で自動運転を確実に行うことができる。
【００３６】
次に、上記空気調和機の暖房運転、除湿運転、冷房運転および除湿冷房運転の各運転モードの動作について説明する。なお、除湿冷房運転時の動作は、冷房運転時の動作と同様であり、詳しい説明は省略する。
【００３７】
＜暖房運転＞
上記空気調和機において、暖房運転開始操作が行われると、制御装置１００は、四路切換弁１２を実線の切換え位置に切り換えると共に、圧縮機１１を起動し、圧縮機１１から高温高圧の冷媒を吐出させる。吐出された冷媒は、四路切換弁１２を介して室内熱交換器１５(補助熱交換器１５ａおよび主熱交換器１５ｂ)に流入し、室内熱交換器１５によって凝縮される。室内熱交換器１５で凝縮された冷媒は、電動膨張弁１４で減圧された後に室外熱交換器１３に流入し、室外熱交換器１３によって蒸発される。室内熱交換器１５で蒸発された冷媒は、四路切換弁１２およびアキュムレータ１６を介して圧縮機１１の吸入側に戻される。こうして、上記圧縮機１１,室内熱交換器１５,電動膨張弁１４,室外熱交換器１３およびアキュムレータ１６の順に冷媒を循環させる。
【００３８】
また、制御装置１００は、室内ファン２０を制御して、室内熱交換器１５を介して室内空気を循環させる。このように、上記圧縮機１１,室内熱交換器１５,電動膨張弁１４,室外熱交換器１３およびアキュムレータ１６の順に冷媒を循環させると共に、室内空気を循環させることにより、室内を暖房する。
【００３９】
＜除湿運転＞
上記空気調和機において、除湿運転開始操作が行われると、制御装置１００は、圧縮機１１,室外熱交換器１３,電動膨張弁１４,室内熱交換器１５およびアキュムレータ１６の順に冷媒を循環させる。また、制御装置１００は、室内機２内に配置されている室内ファン２０を回転させて、補助熱交換器１５ａおよび主熱交換器１５ｂを介して室内空気を循環させる。除湿運転が行われている場合、補助熱交換器１５ａに供給された液冷媒は、補助熱交換器１５ａの途中で全て蒸発するため、補助熱交換器１５ａの入口近傍の範囲だけが、液冷媒が蒸発する蒸発域となる。すなわち、補助熱交換器１５ａの一部だけが蒸発域となり、補助熱交換器１５ａの蒸発域以外の領域と主熱交換器１５ｂは、過熱域となる。したがって、図示しない本体ケーシングの吸込口からの吸い込まれた室内空気は、補助熱交換器１５ａの蒸発域で冷却され、含有する水分量（湿度）が減らされた後、主熱交換器１５ｂで加熱され、室内温度と略同一の温度で室内に吹き出す。
【００４０】
こうして、圧縮機１１,室外熱交換器１３,電動膨張弁１４,室内熱交換器１５およびアキュムレータ１６の順に冷媒を循環させると共に、室内ファン２０により室内熱交換器１５、すなわち、補助熱交換器１５ａおよび主熱交換器１５ｂを介して室内空気を循環させることにより、室内を除湿する。
【００４１】
＜冷房運転／除湿冷房運転＞
上記空気調和機において、冷房運転（除湿冷房運転）開始操作が行われると、制御装置１００は、四路切換弁１２を点線の切換え位置で切り換えると共に、圧縮機１１を起動し、圧縮機１１から高温高圧の冷媒を吐出させる。吐出された冷媒は、四路切換弁１２を介して室外熱交換器１３に流入し、室外熱交換器１３によって凝縮される。室外熱交換器１３で凝縮された冷媒は、電動膨張弁１４で減圧された後に室内熱交換器１５(補助熱交換器１５ａおよび主熱交換器１５ｂ)に流入し、室内熱交換器１５によって蒸発される。室内熱交換器１５で蒸発された冷媒は、四路切換弁１２およびアキュムレータ１６を介して圧縮機１１の吸入側に戻される。こうして、圧縮機１１,室外熱交換器１３,電動膨張弁１４,室内熱交換器１５およびアキュムレータ１６の順に冷媒を循環させる。
【００４２】
また、制御装置１００は、室内ファン２０を制御して室内熱交換器１５を介して室内空気を循環させる。このように、圧縮機１１,室外熱交換器１３,電動膨張弁１４,室内熱交換器１５およびアキュムレータ１６の順に冷媒を循環させると共に、室内空気を循環させることによって、室内を冷房（除湿冷房）する。
【００４３】
続いて、自動運転の処理を、図３を参照して説明する。
【００４４】
＜自動運転＞
上記空気調和機において、自動運転開始操作が行われると（ステップＳ１００）、外気温度センサＴ２および室内温度センサＴ５により、外気温度および室内温度が検出される。制御装置１００は、この検出された外気温度および室内温度から、自動運転開始時の運転モードを決定する（ステップＳ１０１）。
【００４５】
自動運転開始時の運転モードが決定されると、最高外気温度検出部１０２は、自動運転開始操作が行われたときに検出された外気温度を第１の最高外気温度として検出する。そして、目標室内温度設定部１０３は、第１の最高外気温度に基づいて季節を判断し、判断された季節および運転モードから、第１の目標室内温度を設定する（ステップＳ１０２）。
【００４６】
第１の目標室内温度が設定されると、目標室内温度設定部１０３は、運転モードが、冷房運転、除湿冷房運転、あるいは、除湿運転であるか否かを判定する（ステップＳ１０３）。運転モードが、冷房運転、除湿冷房運転、あるいは、除湿運転ではない、すなわち、暖房運転であると判定された場合、制御装置１００は、設定された第１の目標室内温度になるように、決定された運転モードで運転を行う（ステップＳ１０９）。
【００４７】
一方、運転モードが、冷房運転、除湿冷房運転、あるいは、除湿運転であると判定された場合、制御装置１００は、所定時間が経過するまで、設定された第１の目標室内温度になるように、決定された運転モードで運転を行う（ステップＳ１０４）。
【００４８】
所定時間が経過すると、最高外気温度検出部１０２は、自動運転開始操作が行われてから所定時間中に検出された外気温度から、第２の最高外気温度を検出する。そして、目標室内温度設定部１０３は、第２の最高外気温度に基づいて季節を判断し、判断された季節および運転モードから、第２の目標室内温度を設定する（ステップＳ１０５）。
【００４９】
第２の目標室内温度が設定されると、目標室内温度設定部１０３は、第１の目標室内温度と第２の目標室内温度とが同一か否かを判定する（ステップＳ１０５）。第１の目標室内温度と第２の目標室内温度とが同一であると判定された場合、制御装置１００は、設定された第１の目標室内温度になるように、決定された運転モードで運転を行う（ステップＳ１０９）。
【００５０】
一方、第１の目標室内温度と第２の目標室内温度とが同一ではないと判定された場合、目標室内温度設定部１０３は、目標室内温度を第１の目標室内温度から第２の目標室内温度に補正する（ステップＳ１０７）。そして、制御装置１００は、第２の目標室内温度になるように、決定された運転モードで運転を行う（ステップＳ１０８）。
【００５１】
このように、少なくとも外気温度センサＴ２により検出された外気温度に基づいて、目標室内温度と運転モードとを選択する自動運転において、所定時間中に検出された外気温度の中から最高外気温度を検出し、この検出された最高外気温度に基づいて、目標室内温度を設定することで、一日の寒暖の差が大きい場合、例えば、夏季において、夜間急に外気温度が低下した場合であっても、適正な目標室内温度で自動運転を行うことができる。
【００５２】
上記空気調和機では、運転モードが、冷房運転、除湿冷房運転、あるいは、除湿運転である場合に第２の最高外気温度を検出して、第２の目標室内温度を設定しているが、これに限らない。運転モードが暖房運転である場合に、第２の最高外気温度を検出して、第２の目標室内温度を設定してもよい。
【００５３】
第２の最高外気温度は、少なくとも２４時間中に検出された外気温度から検出された最高外気温度であればよい。すなわち、所定時間が２４時間以上であれば、高い精度で最高外気温を検出でき、適正な目標室内温度で自動運転を確実に行うことができる。
【００５４】
最高外気温度設定部１０２は、自動運転開始操作が行われたときに検出された外気温度を第１の最高外気温度として検出しているが、これに限らない。例えば、予め定めた間隔（例えば、１日置き、あるいは、１週間置き）で外気温度を所定時間検出し、この検出された所定時間中の外気温度から第１の最高外気温度を検出するようにしてもよい。このように、第１の最高外気温度を検出することで、第２の最高外気温度を検出することなく、適正な目標室内温度で自動運転を行うことができる。
【００５５】
最高外気温度の検出は、例えば、所定時間中に、新しい外気温度が検出される度に記憶されている外気温度と高低を比較して、いずれか高い外気温度のみを記憶することにより行ってもよいし、また、所定時間中に検出された全ての外気温度を記憶することにより行ってもよい。
【００５６】
目標室内温度設定部１０３では、最高外気温度設定部１０２により検出された最高外気温度から、運転開始操作が行われたときの季節を判断し、推定しているが、これに限らない。検出された最高外気温度から最適な目標室内温度が設定できればよく、季節判定のプロセスを省略してもよいし、同様な他の方法を用いてもよい。
【００５７】
上記空気調和機では、運転停止操作が行われた場合、あるいは、運転モードが自動運転から他のいずれかの運転モードに切り替えられた場合に、記憶された最高外気温度を消去しているが、これに限らない。例えば、過去所定回数分の最高外気温度を記憶しておき、これらの最高外気温度の平均に基づいて目標室内温度を設定することで、適正な目標室内温度で確実に自動運転を行うことができる。
【００５８】
上記空気調和機では、室内熱交換器１５を補助熱交換器１５ａおよび主熱交換器１５ｂで構成しているが、これに限らない。補助熱交換器および主熱交換器が一体に構成された室内熱交換器を用いてもよい。この場合、室内熱交換器の上流側に補助熱交換器１５ａに対応する部分が設けられ、下流側に主熱交換器に対応する部分が設けられる。
【００５９】
上記空気調和機では、運転モードとして自動運転が選択された場合に、所定時間中に検出された外気温度の中から最高外気温度を検出し、この検出された最高外気温度に基づいて、目標室内温度を設定しているが、これに限らない。自動運転以外の運転モードが選択された場合でも、例えば、目標室内温度を自動で設定する場合に、検出された最高外気温度に基づいて目標室内温度を設定するようにしてもよいし、ユーザが設定した設定温度を補正する場合に、検出された最高外気温度に基づいて目標室内温度を補正するようにしてもよい。これにより、運転モード毎に適正な目標室内温度で運転を行うことができる。
【００６０】
また、本発明は、上記除湿運転を行う空気調和機に限らず、他の方法で除湿運転を行う空気調和機にも適用できる。
【００６１】
上記実施形態および変形例で述べた構成要素は、適宜、組み合わせてもよく、また、適宜、選択、置換、あるいは、削除してもよいのは、勿論である。
【符号の説明】
【００６２】
１…室外機
２…室内機
１０…室外ファン
１１…圧縮機
１２…四路切換弁
１３…室外熱交換器
１４…電動膨張弁
１５…室内熱交換器
１５ａ…補助熱交換器
１５ｂ…主熱交換器
１６…アキュムレータ
２０…室内ファン
２１…閉鎖弁
２２…閉鎖弁
３０…表示部
１００…制御部
１０１…運転モード決定部
１０２…最高外気温度設定部
１０３…目標室内温度設定部
ＲＣ…冷媒回路
Ｔ１…室外熱交換器温度センサ
Ｔ２…外気温度センサ
Ｔ３…蒸発温度センサ
Ｔ４…室内熱交換器温度センサ
Ｔ５…室内温度センサ
Ｈ…湿度センサ
【図１】
2016090063.tif 000004
【図２】
2016090063.tif 000005
【図３】
2016090063.tif 000006